(57)【要約】      （修正有）【課題】指に馴染んで、意図する指示部位を的確に押圧することができ、しかも、使用毎の使い切りにできて衛生的であるディスポーザブルスタイラスを提供する。【解決手段】タッチパネルの画面操作に用いる器具であって、タッチパネル画面の表面を押圧可能な押圧片１と、この押圧片を支持可能な粘着層２とを少なくとも含んで構成されており、この粘着層を介して使用者の指腹Ｃに貼着する。押圧片は、熱可塑性または熱硬化性の合成樹脂材料を使用して作製するが、その他に、ゴム、金属、木、竹、べっ甲、石などにより作製してもよい。なお、押圧片を導電性にすることよって、抵抗膜式だけでなく、静電容量式のタッチパネルにも対応することができる。【選択図】図２
0003185717.tif 000002
【実用新案登録請求の範囲】
【請求項１】
タッチパネルの画面操作に用いる器具であって、
前記タッチパネルの画面の表面を押圧可能な押圧片（１）と；
この押圧片（１）を支持可能な粘着層（２）とを少なくとも含んで構成されており、
この粘着層（２）を介して使用者の指腹（Ｃ）に貼着可能に構成されていることを特徴とするディスポーザブルスタイラス。
【請求項２】
タッチパネルの画面の表面を押圧片（１）から突成したポイント端（11）により押圧可能であることを特徴とする請求項１記載のディスポーザブルスタイラス。
【請求項３】
押圧片（１）と粘着層（２）との間に小片（11ａ）を挟持してポイント端（11）が形成されていることを特徴とする請求項２記載のディスポーザブルスタイラス。
【請求項４】
支持シート体（３）の表面に粘着層（２）が形成されている一方、この支持シート体（３）により押圧片（１）が支持されていることを特徴とする請求項１〜３の何れか一つに記載のディスポーザブルスタイラス。
【請求項５】
押圧片（１）にはフランジ（12）が形成される一方、支持シート体（３）には開口部（31）が設けられており、この開口部（31）からポイント端（11）が露出した状態で支持されていることを特徴とする請求項４記載のディスポーザブルスタイラス。
【請求項６】
支持シート体（３）が伸縮性を有しており、指腹（Ｃ）の表面形状に適応して貼着可能であることを特徴とする請求項４または５記載のディスポーザブルスタイラス。
【請求項７】
押圧片（１）が導電性物質により成形されていることを特徴とする請求項１〜６の何れか一つに記載のディスポーザブルスタイラス。
【請求項８】
粘着層（２）の使用材料がアクリル系粘着剤であることを特徴とする請求項１〜７の何れか一つに記載のディスポーザブルスタイラス。
【請求項９】
押圧片（１）の内部に装飾片（14）が混入され、外部から視認可能に構成されていることを特徴とする請求項１〜８の何れか一つに記載のディスポーザブルスタイラス。
【請求項１０】
押圧片（１）に抗菌剤を混合して成形されていることを特徴とする請求項１〜９の何れか一つに記載のディスポーザブルスタイラス。
【考案の詳細な説明】
【技術分野】
【０００１】
本考案は、スタイラスの改良、更に詳しくは、使用者の指に馴染んで、使用者の意図する指示部位を的確に押圧することができ、しかも、使用機会毎の使い切りにできて非常に衛生的であるディスポーザブルスタイラスに関するものである。
【背景技術】
【０００２】
周知のとおり、携帯情報端末（ＰＤＡ）等の入力方式にはタッチパネルが採用されており、画面に触れて体感的に操作することができる。そして、この操作には繊細さが要求されるため、局部的な操作に適したポインティングデバイスが用いられている。
【０００３】
従来、かかるポインティングデバイスの一種として「スタイラス」が使用されており、通常はペン式の長手形状のものが多いが、指サック状に指先に被着するものも開示されている（例えば、特許文献１参照）。
【０００４】
しかしながら、かかる構造のものは、使用者が長時間着用することによって、使用者の汗や皮脂が付着して汚れてしまうという問題があり、また、他人同士で共用することもあるため、衛生的な問題があった。また、スタイラス本体が小型であるために、紛失してしまうおそれもあった。
【０００５】
また、他の従来のスタイラスとして、付け爪式に構成され、爪先で操作するものも開示されている（例えば、特許文献２参照）。しかしながら、爪の表面において粘着剤を用いて取り付けるため、使用後に脱離する際には、そのまま剥がすにしても、剥離剤を用いるにしても、爪が傷んでしまうという問題があった。
【０００６】
また、爪先から突出してポイント端が配置されているため、端末を持った手で操作することができず、しかも、使用者が意思する押圧位置との誤差が生じやすいため、操作感が悪いという不満がある。
【０００７】
そしてまた、従来、導電性を有する導電糸を編成した生地によりに作成した入力補助具が開示されている（例えば、特許文献３参照）。
【０００８】
しかしながら、かかる入力補助具の構造では、編成工程にコストがかかり、また、凸凹した生地の表面で画面を撫でるため、精度が悪く、使用者が意図する画面上の正確な位置を押圧できず、繊細な操作ができないという問題があった。
【先行技術文献】
【特許文献】
【０００９】
【特許文献１】特開２００９−２５９０６２号公報
【特許文献２】特開２００２−７３２６６号公報
【特許文献３】登録実用新案第３１７２０６０号公報
【考案の概要】
【考案が解決しようとする課題】
【００１０】
本考案は、従来のスタイラスに上記のような問題があったことに鑑みて為されたものであり、その目的とするところは、使用者の指に馴染んで、使用者の意図する指示部位を的確に押圧することができ、しかも、使用機会毎の使い切りにできて非常に衛生的であるディスポーザブルスタイラスを提供することにある。
【課題を解決するための手段】
【００１１】
本考案者が上記技術的課題を解決するために採用した手段を、添付図面を参照して説明すれば、次のとおりである。
【００１２】
即ち、本考案は、タッチパネルの画面操作に用いる器具であって、
前記タッチパネルの画面の表面を押圧可能な押圧片１と；この押圧片１を支持可能な粘着層２とを少なくとも含んで構成されており、
この粘着層２を介して使用者の指腹Ｃに貼着可能に構成するという技術的手段を採用したことによって、ディスポーザブルスタイラスを完成させた。
【００１３】
また、本考案は、上記課題を解決するために、必要に応じて上記手段に加え、タッチパネルの画面の表面を押圧片１から突成したポイント端11により押圧可能にするという技術的手段を採用することができる。
【００１４】
更にまた、本考案は、上記課題を解決するために、必要に応じて上記手段に加え、押圧片１と粘着層２との間に小片11ａを挟持してポイント端11を形成するという技術的手段を採用することができる。
【００１５】
更にまた、本考案は、上記課題を解決するために、必要に応じて上記手段に加え、支持シート体３の表面に粘着層２を形成する一方、この支持シート体３により押圧片１を支持するという技術的手段を採用することができる。
【００１６】
更にまた、本考案は、上記課題を解決するために、必要に応じて上記手段に加え、押圧片１にはフランジ12を形成する一方、支持シート体３には開口部31を設け、この開口部31からポイント端11が露出した状態で支持するという技術的手段を採用することができる。
【００１７】
更にまた、本考案は、上記課題を解決するために、必要に応じて上記手段に加え、支持シート体３が伸縮性を有しており、指腹Ｃの表面形状に適応して貼着可能にするという技術的手段を採用することができる。
【００１８】
更にまた、本考案は、上記課題を解決するために、必要に応じて上記手段に加え、押圧片１を導電性物質により成形するという技術的手段を採用することができる。
【００１９】
更にまた、本考案は、上記課題を解決するために、必要に応じて上記手段に加え、粘着層２の使用材料をアクリル系粘着剤にするという技術的手段を採用することができる。
【００２０】
更にまた、本考案は、上記課題を解決するために、必要に応じて上記手段に加え、押圧片１の内部に装飾片14を混入して、外部から視認可能に構成するという技術的手段を採用することができる。
【００２１】
更にまた、本考案は、上記課題を解決するために、必要に応じて上記手段に加え、押圧片１に抗菌剤を混合して成形するという技術的手段を採用することができる。
【考案の効果】
【００２２】
本考案にあっては、タッチパネルの画面操作に用いる器具において、前記タッチパネルの画面の表面を押圧可能な押圧片と；この押圧片を支持可能な粘着層とを少なくとも含んで構成したことにより、この粘着層を介して使用者の指腹に貼着することができる。
【００２３】
また、本考案のディスポーザブルスタイラスによれば、押圧片を指腹に配置して、必要に応じて、支持シート体によって使用者の皮膚に直接的に支持することができるため、使用者の指に馴染んで、使用者の意図する指示部位を的確に押圧することができる。
【００２４】
更にまた、簡素な構造で作製コストも少なくて済み、かつ、押圧片による操作によって指が画面に直接触れないので、画面への指紋の付着を防止することもできる。そして、使用機会毎の使い切り（使い捨て、ディスポーザブル）に構成することができるため、紛失のおそれもなくて利便性が高く、しかも、非常に衛生的でもあることから、産業上の利用価値は頗る大きいと云える。
【図面の簡単な説明】
【００２５】
【図１】本考案の第１実施形態のディスポーザブルスタイラスを表わす説明側面図である。
【図２】本考案の第１実施形態のディスポーザブルスタイラスの使用状態を表わす斜視図である。
【図３】本考案の第２実施形態のディスポーザブルスタイラスを表わす説明側面図である。
【図４】本考案の第２実施形態のディスポーザブルスタイラスの使用状態を表わす斜視図である。
【図５】本考案の第２実施形態のディスポーザブルスタイラスの変形例を表わす説明側面図である。
【図６】本考案の第２実施形態のディスポーザブルスタイラスの変形例を表わす説明側面図である。
【図７】本考案の第３実施形態のディスポーザブルスタイラスを表わす説明側面図である。
【図８】本考案の第３実施形態の押圧片の変形例を表わす説明側面図である。
【図９】本考案の第３実施形態のディスポーザブルスタイラスの変形例を表わす説明正面図である。
【図１０】本考案の第４実施形態のディスポーザブルスタイラスを表わす説明側面図である。
【図１１】本考案の第４実施形態のディスポーザブルスタイラスの使用状態を表わす斜視図である。
【図１２】本考案の第４実施形態の支持シート体を表わす正面図である。
【図１３】本考案の実施形態のディスポーザブルスタイラスの変形例を表わす説明側面図である。
【図１４】本考案の実施形態のディスポーザブルスタイラスの変形例を表わす説明側面図である。
【考案を実施するための形態】
【００２６】
本考案を実施するための形態を、具体的に図示した図面に基づいて、更に詳細に説明すると、次のとおりである。
【００２７】
『第１実施形態』
本考案の第１実施形態を図１および図２に基づいて説明する。図中、符号１で指示するものは押圧片であり、この押圧片１は、本実施形態では、熱可塑性または熱硬化性の合成樹脂材料を使用して作製するが、その他に、ゴム、金属、木、竹、べっ甲、石などにより作製した固体小片である。
【００２８】
なお、本実施形態では、押圧片１を導電性物質により成形することによって、抵抗膜式だけでなく、静電容量式のタッチパネルにも対応することができる。この際、導電性物質単独で成形しても良いし、導電性物質の粉体を他の材料と混合して成形したものや、表面に導電性物質をコーティングしたものであっても良い。
【００２９】
また、符号２で指示するものは粘着層であり、この粘着層２は、前記押圧片１を使用者の指腹Ｃに固定するものであって、例えば、アクリル系粘着剤やゴム系粘着剤、シリコーン系粘着剤などを採用することができる。本実施形態では、透明性、耐候性、耐熱性に優れ、低アレルギー性で人体への負荷が少ない観点から、アクリル系粘着剤を使用することが好ましい。
【００３０】
しかして、本考案は、タッチパネルの画面操作に用いる器具であって、構成するにあっては、前記タッチパネルの画面の表面を押圧可能な押圧片１を、粘着層２によって支持して構成する。この粘着層２は公知の塗布手段等により付着させることができる。
【００３１】
本考案のディスポーザブルスタイラスは、複数個の本体を、粘着層２の部分をシート状の離型紙上において並列して保持しておき、使用の際に、適宜、当該離型紙から必要分を取り外しできるように構成することもできる。
【００３２】
このようにして、押圧片１を粘着層２を介して使用者の指腹Ｃ（フィンガークッション（finger-cushion））に貼着することができる（図２参照）。タッチパネルの画面操作の際には、押圧片１を画面に押圧して行うことができる。また、押圧片１による操作によって指が画面に直接触れないので、画面への指紋の付着を防止することができる。そして、本考案のディスポーザブルスタイラスは、抵抗膜式のタッチパネルでも静電容量式のタッチパネルでも使用することができる。
【００３３】
また、本発明のスタイラスを使用者の指腹Ｃにのみ貼着するように構成することもできる。即ち、皮膚の厚い部分だけで支持することができるので、粘着層２の接着剤が皮膚の弱い指の甲側や側面、爪に付着して、かぶれなどの皮膚炎を発症したり、爪が剥がれるのを防止することができる。更に、この指の甲側や側面、爪に接着剤が残存して皮膚炎を発症したり洗浄する手間がかかることを防止することもできる。
【００３４】
『第２実施形態』
本考案の第２実施形態を図３から図６に基づいて説明する。本実施形態では、前記タッチパネルの画面の表面をポイント端11により押圧可能な押圧片１を、粘着層２によって支持して構成する。
【００３５】
本実施形態では、押圧片１の形状を略半球状に成形し、その頭頂部にポイント端11を設ける。そして、この押圧片１の表面（本実施形態では断面平面部）に粘着層２を設ける。
【００３６】
本実施形態では、タッチパネルの画面操作の際には、ポイント端11を画面に押圧して行うことができ、より局所的な操作を行うことができる（図４参照）。
【００３７】
なお、本実施形態では、図５に示すように、押圧片１にフランジ12を成形して（一体成形がより好ましい）、このフランジ12に粘着層２を設けることもでき、貼着面積を大きくして、指腹Ｃの形状や柔らかさ、面積、皮脂、汗量などの個人差に応じて、より確実に固定することができ、操作中の脱落などを防止することができる。
【００３８】
更にまた、本実施形態では、図６に示すように、押圧片１と粘着層２との間に小片11ａを挟持してポイント端11を形成することもできる。この際、小片11ａは硬質材料で形成した球体などを採用することができ、押圧片１本体はシート状の軟質部材を採用することができる。
【００３９】
『第３実施形態』
本考案の第３実施形態を図７から図９に基づいて説明する。本実施形態では、支持シート体３を付加して押圧片１を支持するものである。図中、符号３で指示するものは支持シート体であり、この支持シート体３は、フィルム体や織編物、不織布などの薄手の素材である。本実施形態では、防水性を確保しつつも空気や湿気を通しやすいウレタンフィルムや、焼却時にダイオキシンの原因となる塩素が発生しないオレフィンフィルムを使用するのが好ましい。また、厚みは柔軟性を損なわない範囲で、例えば０．０５ｍｍ程度にする。
【００４０】
そして、本実施形態では、支持シート体３の表面に粘着層２を形成する一方、この支持シート体３により押圧片１を支持する。押圧片１と支持シート体３との接着にあっては、適宜、公知の接着剤を用いる。
【００４１】
この際、支持シート体３の面積は、図７に示すように、押圧片１との貼着面よりも拡張することが好ましく、貼着面積を大きくして、より確実に固定することができ、操作中の脱落などを防止することができる。
【００４２】
また、本実施形態では、支持シート体３に伸縮性を付与することができ、指腹Ｃの表面形状に適応して貼着可能にすることができる。こうすることによって、指腹Ｃの形状や柔らかさ、面積、皮脂、汗量などの個人差に応じて、より確実に固定することができ、操作中の脱落などを防止することができる。
【００４３】
更にまた、押圧片１と支持シート体３との固定方法の変形例として、図８および図９に示すように、押圧片１に切欠部13（凹部）を形成し、この切欠部13に支持シート体３を挿入して支持する構成であっても良い。この切欠部13は、押圧片１の側方に限らず、上方などに設けることもできる。
【００４４】
『第４実施形態』
本考案の第４実施形態を図１０から図１２に基づいて説明する。本実施形態では、上記第３実施形態の構成に加え、押圧片１にフランジ12を形成する一方、支持シート体３には開口部31を設けるものである。
【００４５】
そして、この開口部31からポイント端11を露出せしめた状態で支持することができる。本実施形態では、開口部31の形状は円形であるが、押圧片１の断面形状に適合したものであれば、設計変更が可能である。また、粘着層２は、支持シート体３の全面に亙って形成し、使用者の指腹Ｃに貼着することができる（図１１参照）。
【００４６】
なお、支持シート体３の形状は、図１２（ａ）〜（ｄ）に示すように、例えば、円形のものや四辺形、長円形にして、指腹Ｃの形状や質感に応じて大きさや形状を選択することができる。更に、必要に応じて、表面に印刷等を施したり、任意形状にすることによって、意匠性を向上させることもできる。
【００４７】
本考案は、概ね上記のように構成されるが、図示の実施形態に限定されるものでは決してなく、「実用新案登録請求の範囲」の記載内において種々の変更が可能であって、例えば、図１３に示すように、押圧片１の内部に装飾片14を混入して、外部から視認可能に構成することもできる。この際、押圧片１は透明または半透明の材料（例えばプラスチック）を採用し、装飾片14としては、金属光沢を有するラメや金属粉、顔料などを採用することができる。具体的には、（プラスチック製の）ベースシートの上に、装飾片14を混入した溶融状態の熱可塑性プラスチックを滴下し、冷却硬化せしめて一体化することによって製造することができる。
【００４８】
また、押圧片１に抗菌剤を混合して成形することもでき、雑菌の繁殖を抑制して衛生的にすることができる。この抗菌剤としては、銀ゼオライトやチオサルファイト銀錯体などの無機系のものや、ニトリル誘導体、イミダゾール誘導体、トリアジン誘導体、フェノールエーテル誘導体、ピロール誘導体などの有機系のものを採用することができる。
【００４９】
更にまた、押圧片１の形状は、略半球状に成形したものに限らず、柱状や錘状、板状、膜状、球状、凸部の低いもの（図１４参照）、異形のものであっても良く、更に、この押圧片１を支持シート体３に固定するための接着剤やシート材等の固定手段を別途設けることもできる。
【００５０】
また、押圧片１に導電性物質を使用する場合において、粘着層２または支持シート体３が皮膚との接触を遮断してしまわないように、指腹Ｃとの接触面において、粘着層２または支持シート体３に、適宜通電のための開口部や粘着層非成形部などを設けることができる。
【００５１】
更にまた、支持シート体３は、押圧片１を少なくとも指腹Ｃに固定できれば、指に巻き付けて粘着固定できるように、側方に延長した長手形状に構成することもでき（図１２（ｄ）参照）、これら何れのものも本考案の技術的範囲に属する。
【符号の説明】
【００５２】
１    押圧片
11    ポイント端
11ａ  小片
12    フランジ
13    切欠部
14    装飾片
２    粘着層
３    支持シート体
31    開口部
Ｃ    指腹
【図１】
0003185717.tif 000003
【図２】
0003185717.tif 000004
【図３】
0003185717.tif 000005
【図４】
0003185717.tif 000006
【図５】
0003185717.tif 000007
【図６】
0003185717.tif 000008
【図７】
0003185717.tif 000009
【図８】
0003185717.tif 000010
【図９】
0003185717.tif 000011
【図１０】
0003185717.tif 000012
【図１１】
0003185717.tif 000013
【図１２】
0003185717.tif 000014
【図１３】
0003185717.tif 000015
【図１４】
0003185717.tif 000016